(57)【要約】      （修正有）【課題】テープを切断する際に切断部に加わる力によってずれ動きにくく、持ち運ぶ際には持ち運びやすく、ロール状テープの内周空間を有効活用できるテープカッタを提供する。【解決手段】ロール状テープ１を回転自在且つ着脱可能に支持する筒状の支持部２の内側に、ペン等の被収納物を収容可能な収納部３を設け、収納部３の蓋４及び底１０を手で持つ構造として、テープカッターの使用時には使いやすく、移動時には持ち運びやすくする。【選択図】図１
2020090350.tif 000002
【特許請求の範囲】
【請求項１】
ロール状テープを回転自在且つ着脱可能に支持する筒状の支持部と、
前記支持部の内側の収納部の蓋及び底と、
前記ロール状テープから引き出されたテープを切断する切断部と、
を具備し、
前記蓋を開けた状態で、前記収納部に被収納物を出し入れ可能である、
テープカッター。
【請求項２】
前記蓋を閉じた状態で、前記収納部と外部をつなぐ通気構造を備える、
請求項１に記載のテープカッター。
【請求項３】
前記ロール状テープが前記支持部に装着された状態で、前記ロール状テープを覆うカバーを備える、
請求項１から請求項２のいずれかに記載のテープカッター。
【発明の詳細な説明】
【技術分野】
【０００１】
本発明は、テープカッターに関する。
【背景技術】
【０００２】
テープカッターにおいては、特許文献１や特許文献２の実施例のように、ロール状テープがリールに装着され半分ほど本体から露出する状態で回転自在且つ着脱可能に支持する支持部と、ロール状テープから引き出されたテープを切断する切断部と、を備えるものが知られている。
【０００３】
また、テープカッターにおいては、特許文献３や特許文献４の実施例のように、円筒の外周でロール状テープを回転自在且つ着脱可能に支持し、ロール状テープから引き出されたテープを切断部で切断可能であり、円筒の内側にペン等の被収納物を差し込み収納するアイデアが知られている。
【先行技術文献】
【特許文献】
【０００４】
【特許文献１】特開２００８−０９４６１３号公報
【特許文献２】特開２００８−１２０５２７号公報
【特許文献３】特開２００２−００２１８３号公報
【特許文献４】特許第４４８４１６４号公報
【発明の概要】
【発明が解決しようとする課題】
【０００５】
テープカッターにおいては、テープを切断する際に切断部に加わる力によってずれ動きにくく、持ち運ぶ際には持ち運びやすく、ロール状テープの内周空間を有効活用できるものが求められている。しかし、特許文献３のように机の天板等に固定してしまうアイデアでは、例えば机から床に移動してテープ貼り作業をしたい場合に気軽に持ち運べないし、特許文献３や特許文献４のようにロール状テープの内周空間をペン立てとして活用するアイデアでは、ペンがこぼれ出てしまわないように注意しながらテープカッターを使用したり持ち運んだりする必要があるので、機能的な相乗効果が得られにくい。
【０００６】
また、ロール状テープは製造の際の巻き付け力が残留することで、保管時に円筒芯材からテープがずれることがあると知られている。このような問題や経年劣化や埃の付着を緩和するには、風通しの良い日陰に袋に入れた状態で保管することが推奨されることがあるが、テープカッターにロール状テープを装着してしまうと、テープカッターあるいは使用後のロール状テープを外して毎回そのような環境に置くことは手間がかかり利便性を大きく損なってしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るテープカッターは、例えば図１から図３のいずれかのように、
ロール状テープ１を回転自在且つ着脱可能に支持する筒状の支持部２と、
支持部２の内側の収納部３の蓋４及び底１０と、
ロール状テープ１から引き出されたテープ５を切断する切断部６と、
を具備し、
蓋４を開けた状態で、収納部３に被収納物を出し入れ可能である、
テープカッターである。
【０００９】
発明２に係るテープカッターは、発明１のテープカッターにおいて、
蓋４を閉じた状態で、収納部３と外部をつなぐ通気構造を備える、
テープカッターである。
【００１０】
発明３に係るテープカッターは、発明１から発明２のいずれかのテープカッターにおいて、
ロール状テープ１が支持部２に装着された状態で、ロール状テープ１を覆うカバー９を備える、
テープカッターである。
【発明の効果】
【００１１】
以上のように本発明では、ロール状テープ１を支持する筒状の支持部２の内側の収納部３によってロール状テープ１の内周空間を有効活用でき、収納部３に蓋４を備えることで蓋４と底１０を指先で挟んでテープ５を切断する際にテープカッターを制御しやすいのでテープカッターがずれ動きにくく、持ち運びや切断作業に専念しても被収納物がこぼれ出たり蓋４が不意に開いてしまうことが起こりにくい、というようなテープカッターの設計が容易となる。
【００１２】
また発明２では、本発明の効果に加えて、収納部３に例えば調湿剤を被収納物として収納することで、通気孔７、１８又は２１のような通気構造を通してテープカッターに装着されたロール状テープ１の周囲を風通しの良い環境に近付ける、というようなテープカッターの設計が容易となる。
【００１３】
また発明３では、本発明の効果に加えて、カバー９によって、テープカッターに装着されたロール状テープ１を日陰で袋に入れ経年劣化や埃の付着を緩和するような環境に近付ける、というようなテープカッターの設計が容易となる。
【図面の簡単な説明】
【００１４】
【図１】第１実施形態のテープカッターにロール状テープ１を装着した第三角法による図（一部隠れ線を表示）
【図２】第２実施形態の正面図
【図３】第３実施形態の正面図
【発明を実施するための形態】
【００１５】
本発明の第１実施形態を図１に基づいて説明する。
【００１６】
ロール状テープ１は透明フィルムに粘着剤を塗布したテープを芯材となる厚紙製の円筒に巻き回したものであり、この円筒内周に隙間をあけて外周８が嵌まる支持部２の円筒状の一端に円盤状の蓋４、他端に円盤状の底１０が配置され、蓋４及び底１０には互いの方向に凹み指先がフィットするような輪状の凹形状１２及び１１がそれぞれ設けられており、親指とそれ以外の指を凹形状１１及び１２にフィットさせて挟むことで持ちやすく、テープカッター使用中や持ち運び時に蓋４を底１０の方向へ押すことになるので不意に蓋４が外れないようになっている。また円筒状の支持部２は長さ方向の中間部で２分割されており互いに嵌め外し自在な摺動嵌合構造によって嵌合し、蓋４及び底１０に支持部２はそれぞれ一体に接続されており、ロール状テープ１を覆うカバー９は当接部１３を境に２分割されそれぞれ支持部２に一体に接続されており、蓋４側と底１０側を分離させることでロール状テープ１の着脱が可能となり、且つ支持部２の内側の収納部３の蓋４が開いた状態となるので、被収納物の出し入れが可能となる。また蓋４側と底１０側を完全に嵌め合わせた状態で、支持部２を貫通する通気孔７及び１８は収納部３と外部をつなぐ通気構造であり、カバー９内部空間との通気構造として機能し、収納部３に収納されたシリカゲルなどの調湿材を機能させる。また蓋４を貫通する通気孔２１など８個の小さな貫通穴も収納部３と外部をつなぐ通気構造であり、テープカッターが例えば接地部１９を机に接地させ置かれた状況や湿気っぽい引き出しの中で周囲環境や引き出されたテープ５の為に周囲環境の改善に努める通気構造となる。ここで例えば通気孔の代わりにメッシュや不織布などによる通気構造も考えられる。また底１０に通気構造を設ける案も考えられる。また調湿材の代わりにドライポプリなどの芳香材を収納部３に入れて生臭い引き出し内の環境改善に努めたりロール状テープ１にほのかな香りを付加して価値を高めることも可能だろう。また収納部３に仕切りを設けて一方に調湿材、他方に芳香材を収納するというような使い方も考えられる。
また、カバー９に一体に接続されるアーム状の接続部２０は円筒状の支持部２の径方向に離れたところに配置される切断部６を先端に備え、切断部６には刃１６及び貼り付け部１５が備えられ、ロール状テープ１から引き出されカバー９のスリット状の貫通穴１７の縁に設けられた滑らかな円柱状の案内部１４に非粘着面が案内されるテープ５は貼り付け部１５に貼り付けられてから刃１６によって切断される。このような構造によってロール状テープ１の露出を極力減らしている。
【００１７】
本発明の第２実施形態は第１実施形態と共通する部分が多いので、主に違いについて図２に基づいて説明する。
【００１８】
円盤状の蓋４はカバー９と別体構造となっており、蓋４の縁２３に押さえられる構造のカバー９は蓋４を外すことで当接部１３を境に２分割可能となり、２分割後にはロール状テープ１の着脱が可能となっている。また、蓋４の中央に設けられたツマミ２２を摘まむことで蓋４の着脱が容易となっており、蓋４に一体に接続される支持部２を摺動嵌合の代わりに螺合構造にすることで蓋４の確実性を増すことができる。また、蓋４と支持部２を一体とせずカバー９と支持部２を一体とし、支持部２の内周あるいは底１０に一体成形された収納部３の仕切りに蓋４が摺動嵌合や螺合するような構造も考えられる。
また、カバー９の貫通穴１７は、ロール状テープ１からテープ５が出る位置のバラつきを考慮してスリット状よりも大きめに開口しているが、ロール状テープ１はカバー９によっておおよそ覆われているといえるだろう。
また、接続部２０の付け根付近に揺動軸構造を設けて、接続部２０をロール状テープ１方向に揺動させることで貫通穴１７を閉じることが可能な構造としても良いだろう。
【００１９】
本発明の第３実施形態は第２実施形態と共通する部分が多いので、主に違いについて図３に基づいて説明する。
【００２０】
カバー９外周に沿うよう移動可能且つ着脱可能にスナップフィットされたカバー２４を備えており、カバー２４を開けた図３の状態からカバー２４を接続部２０方向に移動させることで貫通穴１７を閉じ、且つテープ５や刃１６もカバーすることができる。
また、カバー９がカバー２４を揺動可能に支持し、揺動によってカバー２４を開閉する構造としても良いだろう。
【符号の説明】
【００２１】
１.                                      ロール状テープ
２.                                      支持部
３.                                      収納部
４.                                      蓋
５.                                      テープ
６.                                      切断部
７,１８,２１.                    通気孔
８.                                      外周
９,２４.                             カバー
１０.                                  底
１１,１２.                         凹形状
１３.                                  当接部
１４.                                  案内部
１５.                                 貼り付け部
１６.                                  刃
１７.                                  貫通穴
１９.                                 接地部
２０.                                  接続部
２２.                                 ツマミ
２３.                                 縁
【図１】
2020090350.tif 000003
【図２】
2020090350.tif 000004
【図３】
2020090350.tif 000005
【手続補正書】
【提出日】令和1年12月31日(2019.12.31)
【手続補正１】
【補正対象書類名】特許請求の範囲
【補正対象項目名】全文
【補正方法】変更
【補正の内容】
【特許請求の範囲】
【請求項１】
ロール状テープを回転自在且つ着脱可能に支持する筒状の支持部と、
前記ロール状テープが前記支持部に装着された状態で、前記ロール状テープを覆うカバーと、
前記カバーの貫通穴に設けられ、前記ロール状テープから引き出されたテープの非粘着面を案内する案内部と、
前記案内部に案内されたテープを切断する切断部と、
前記支持部の内側の収納部の蓋及び底と、
を具備し、
前記蓋を開けた状態で、前記収納部に被収納物を出し入れ可能である、
テープカッター。
【請求項２】
ロール状テープを回転自在且つ着脱可能に支持する筒状の支持部と、
前記ロール状テープが前記支持部に装着された状態で、前記ロール状テープを覆うカバーと、
前記ロール状テープから引き出されたテープを切断する切断部と、
前記支持部の内側の収納部の蓋及び底と、
を具備し、
前記カバーを装着した状態で、前記蓋の開閉が可能であり、
前記蓋を開けた状態で、前記収納部に被収納物を出し入れ可能である、
テープカッター。
【請求項３】
前記蓋を閉じた状態で、前記収納部と外部をつなぐ通気構造を備える、
請求項１から請求項２のいずれかに記載のテープカッター。
【手続補正２】
【補正対象書類名】明細書
【補正対象項目名】全文
【補正方法】変更
【補正の内容】
【発明の詳細な説明】
【技術分野】
【０００１】
本発明は、テープカッターに関する。
【背景技術】
【０００２】
テープカッターにおいては、特許文献１や特許文献２の実施例のように、ロール状テープがリールに装着され半分ほど本体から露出する状態で回転自在且つ着脱可能に支持する支持部と、ロール状テープから引き出されたテープを切断する切断部と、を備えるものが知られている。
【０００３】
また、テープカッターにおいては、特許文献３や特許文献４の実施例のように、円筒の外周でロール状テープを回転自在且つ着脱可能に支持し、ロール状テープから引き出されたテープを切断部で切断可能であり、円筒の内側にペン等の被収納物を差し込み収納するアイデアが知られている。
【先行技術文献】
【特許文献】
【０００４】
【特許文献１】特開２００８−０９４６１３号公報
【特許文献２】特開２００８−１２０５２７号公報
【特許文献３】特開２００２−００２１８３号公報
【特許文献４】特許第４４８４１６４号公報
【発明の概要】
【発明が解決しようとする課題】
【０００５】
テープカッターにおいては、テープを切断する際に切断部に加わる力によってずれ動きにくく、持ち運ぶ際には持ち運びやすく、ロール状テープの内周空間を有効活用できるものが求められている。しかし、特許文献３のように机の天板等に固定してしまうアイデアでは、例えば机から床に移動してテープ貼り作業をしたい場合に気軽に持ち運べないし、特許文献３や特許文献４のようにロール状テープの内周空間をペン立てとして活用するアイデアでは、ペンがこぼれ出てしまわないように注意しながらテープカッターを使用したり持ち運んだりする必要があるので、機能的な相乗効果が得られにくい。
【０００６】
また、ロール状テープは製造の際の巻き付け力が残留することで、保管時に円筒芯材からテープがずれることがあると知られている。このような問題や経年劣化や埃の付着を緩和するには、風通しの良い日陰に袋に入れた状態で保管することが推奨されることがあるが、テープカッターにロール状テープを装着してしまうと、テープカッターあるいは使用後のロール状テープを外して毎回そのような環境に置くことは手間がかかり利便性を大きく損なってしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るテープカッターは、例えば図１のように、
ロール状テープ１を回転自在且つ着脱可能に支持する筒状の支持部２と、
ロール状テープ１が支持部２に装着された状態で、ロール状テープ１を覆うカバー９と、
カバー９の貫通穴１７に設けられ、ロール状テープ１から引き出されたテープ５の非粘着面を案内する案内部１４と、
案内部１４に案内されたテープ５を切断する切断部６と、
支持部２の内側の収納部３の蓋４及び底１０と、
を具備し、
蓋４を開けた状態で、収納部３に被収納物を出し入れ可能である、
テープカッターである。
【０００９】
発明２に係るテープカッターは、例えば図１及び２又は図１及び３のように
ロール状テープ１を回転自在且つ着脱可能に支持する筒状の支持部２と、
ロール状テープ１が支持部２に装着された状態で、ロール状テープ１を覆うカバー９と、
ロール状テープ１から引き出されたテープ５を切断する切断部６と、
支持部２の内側の収納部３の蓋４及び底１０と、
を具備し、
カバー９を装着した状態で、蓋４の開閉が可能であり、
蓋４を開けた状態で、収納部３に被収納物を出し入れ可能である、
テープカッターである。
【００１０】
発明３に係るテープカッターは、発明１から発明２のいずれかのテープカッターにおいて、
蓋４を閉じた状態で、収納部３と外部をつなぐ通気構造を備える、
テープカッターである。
【発明の効果】
【００１１】
以上のように本発明では、ロール状テープ１を支持する筒状の支持部２の内側の収納部３によってロール状テープ１の内周空間を有効活用でき、収納部３に蓋４を備えることで蓋４と底１０を指先で挟んでテープ５を切断する際にテープカッターを制御しやすいのでテープカッターがずれ動きにくく、持ち運びや切断作業に専念しても被収納物がこぼれ出たり蓋４が不意に開いてしまうことが起こりにくい、というようなテープカッターの設計が容易となる。
【００１２】
また本発明では、カバー９によって、テープカッターに装着されたロール状テープ１を日陰で袋に入れ経年劣化や埃の付着を緩和するような環境に近付ける、というようなテープカッターの設計が容易となる。
【００１３】
また発明３では、本発明の効果に加えて、収納部３に例えば調湿剤を被収納物として収納することで、通気孔７、１８又は２１のような通気構造を通してテープカッターに装着されたロール状テープ１の周囲を風通しの良い環境に近付ける、というようなテープカッターの設計が容易となる。
【図面の簡単な説明】
【００１４】
【図１】第１実施形態のテープカッターにロール状テープ１を装着した第三角法による図（一部隠れ線を表示）
【図２】第２実施形態の正面図
【図３】第３実施形態の正面図
【発明を実施するための形態】
【００１５】
本発明の第１実施形態を図１に基づいて説明する。
【００１６】
ロール状テープ１は透明フィルムに粘着剤を塗布したテープを芯材となる厚紙製の円筒に巻き回したものであり、この円筒内周に隙間をあけて外周８が嵌まる支持部２の円筒状の一端に円盤状の蓋４、他端に円盤状の底１０が配置され、蓋４及び底１０には互いの方向に凹み指先がフィットするような輪状の凹形状１２及び１１がそれぞれ設けられており、親指とそれ以外の指を凹形状１１及び１２にフィットさせて挟むことで持ちやすく、テープカッター使用中や持ち運び時に蓋４を底１０の方向へ押すことになるので不意に蓋４が外れないようになっている。また円筒状の支持部２は長さ方向の中間部で２分割されており互いに嵌め外し自在な摺動嵌合構造によって嵌合し、蓋４及び底１０に支持部２はそれぞれ一体に接続されており、ロール状テープ１を覆うカバー９は当接部１３を境に２分割されそれぞれ支持部２に一体に接続されており、蓋４側と底１０側を分離させることでロール状テープ１の着脱が可能となり、且つ支持部２の内側の収納部３の蓋４が開いた状態となるので、被収納物の出し入れが可能となる。また蓋４側と底１０側を完全に嵌め合わせた状態で、支持部２を貫通する通気孔７及び１８は収納部３と外部をつなぐ通気構造であり、カバー９内部空間との通気構造として機能し、収納部３に収納されたシリカゲルなどの調湿材を機能させる。また蓋４を貫通する通気孔２１など８個の小さな貫通穴も収納部３と外部をつなぐ通気構造であり、テープカッターが例えば接地部１９を机に接地させ置かれた状況や湿気っぽい引き出しの中で周囲環境や引き出されたテープ５の為に周囲環境の改善に努める通気構造となる。ここで例えば通気孔の代わりにメッシュや不織布などによる通気構造も考えられる。また底１０に通気構造を設ける案も考えられる。また調湿材の代わりにドライポプリなどの芳香材を収納部３に入れて生臭い引き出し内の環境改善に努めたりロール状テープ１にほのかな香りを付加して価値を高めることも可能だろう。また収納部３に仕切りを設けて一方に調湿材、他方に芳香材を収納するというような使い方も考えられる。
また、カバー９に一体に接続されるアーム状の接続部２０は円筒状の支持部２の径方向に離れたところに配置される切断部６を先端に備え、切断部６には刃１６及び貼り付け部１５が備えられ、ロール状テープ１から引き出されカバー９のスリット状の貫通穴１７の縁に設けられた滑らかな円柱状の案内部１４に非粘着面が案内されるテープ５は貼り付け部１５に貼り付けられてから刃１６によって切断される。このような構造によってロール状テープ１の露出を極力減らしている。
【００１７】
本発明の第２実施形態は第１実施形態と共通する部分が多いので、主に違いについて図２に基づいて説明する。
【００１８】
円盤状の蓋４はカバー９と別体構造となっており、蓋４の縁２３に押さえられる構造のカバー９は蓋４を外すことで当接部１３を境に２分割可能となり、２分割後にはロール状テープ１の着脱が可能となっている。また、蓋４の中央に設けられたツマミ２２を摘まむことで蓋４の着脱が容易となっており、蓋４に一体に接続される支持部２を摺動嵌合の代わりに螺合構造にすることで蓋４の確実性を増すことができる。また、蓋４と支持部２を一体とせずカバー９と支持部２を一体とし、支持部２の内周あるいは底１０に一体成形された収納部３の仕切りに蓋４が摺動嵌合や螺合するような構造も考えられる。
また、カバー９の貫通穴１７は、ロール状テープ１からテープ５が出る位置のバラつきを考慮してスリット状よりも大きめに開口しているが、ロール状テープ１はカバー９によっておおよそ覆われているといえるだろう。
また、接続部２０の付け根付近に揺動軸構造を設けて、接続部２０をロール状テープ１方向に揺動させることで貫通穴１７を閉じることが可能な構造としても良いだろう。
【００１９】
本発明の第３実施形態は第２実施形態と共通する部分が多いので、主に違いについて図３に基づいて説明する。
【００２０】
カバー９外周に沿うよう移動可能且つ着脱可能にスナップフィットされたカバー２４を備えており、カバー２４を開けた図３の状態からカバー２４を接続部２０方向に移動させることで貫通穴１７を閉じ、且つテープ５や刃１６もカバーすることができる。
また、カバー９がカバー２４を揺動可能に支持し、揺動によってカバー２４を開閉する構造としても良いだろう。
【符号の説明】
【００２１】
１.                                      ロール状テープ
２.                                      支持部
３.                                      収納部
４.                                      蓋
５.                                      テープ
６.                                      切断部
７,１８,２１.                    通気孔
８.                                      外周
９,２４.                             カバー
１０.                                  底
１１,１２.                         凹形状
１３.                                  当接部
１４.                                  案内部
１５.                                  貼り付け部
１６.                                 刃
１７.                                  貫通穴
１９.                                  接地部
２０.                                  接続部
２２.                                  ツマミ
２３.                                  縁